(57)【要約】【課題】測定者が測定したいビームインデックスの電波を容易にかつ正確に測定可能にすることができる電波伝播測定装置を提供すること。【解決手段】ビームフォーミングの無線信号のビームインデックスを検出する無線信号処理部１０と、検出されたビームインデックスに基づいてビームを測定して測定結果を制御部１３に出力する無線信号測定部１１と、ユーザからの操作入力を受け付ける入力部１２１と、無線信号測定部１１の測定結果などを表示する表示部１２２と、全てのビームの測定結果を対応するビームインデックスとともに表示部１２２に表示させる制御部１３と、を備える。【選択図】図１
2020195043.tif 000002
【特許請求の範囲】
【請求項１】
基地局（２）からの無線信号の伝播状態を測定する電波伝播測定装置（１）であって、
画像を表示する表示部（１２２）と、
前記表示部に受信した無線信号の測定結果を表示させる制御部（１３）と、を備え、
前記制御部は、ビームフォーミングの無線信号の測定を行なう場合、全てのビームの測定結果を対応するビームインデックスとともに表示させる電波伝播測定装置。
【請求項２】
前記制御部は、全てのビームの受信強度をそれぞれ対応するビームインデックスとともに図表にして表示させる請求項１に記載の電波伝播測定装置。
【請求項３】
前記制御部は、表示させた前記図表のなかから、選択された前記図表に対応するビームの詳細な測定結果を表示させる請求項２に記載の電波伝播測定装置。
【請求項４】
前記制御部は、受信している無線信号の情報をリストで表示し、当該リスト上で選択された無線信号の測定結果を表示する請求項１から請求項３のいずれか１項に記載の電波伝播測定装置。
【請求項５】
基地局（２）からの無線信号の伝播状態を測定する電波伝播測定装置（１）のビームフォーミングの測定結果表示方法であって、
受信した無線信号の全てのビームインデックスを検出するステップと、
検出したビームインデックスに対応するビームを測定するステップと、
全てのビームの測定結果を対応するビームインデックスとともに表示させるステップと、
を備えるビームフォーミングの測定結果表示方法。
【発明の詳細な説明】
【技術分野】
【０００１】
本発明は、移動体通信システムの基地局の電波の伝播状態を測定する電波伝播測定装置に関する。
【背景技術】
【０００２】
携帯電話などの移動体通信システムにおいては、サービス提供エリア内に多数の基地局を設置している。基地局は、出力する電波の届く範囲が隣接する基地局同士で一部重なるように設置され、サービス提供エリア内で基地局の電波の届かない場所を無くすようにしている。
【０００３】
このような移動体通信システムにおいて、サービス提供エリア内の任意の地点において、基地局からの電波の伝播状態を測定することは、基地局の保守やサービス提供エリアの管理にとって重要なことである。
【０００４】
第５世代移動通信システム（以下、「５Ｇ」ともいう）では、多数の端末との同時通信を実現するため、多数のアンテナ素子を用いて、ビームフォーミングと呼ばれる技術により電波をビーム状にして送信して、端末との無線伝播経路を空間的に多重化している。
【０００５】
特許文献１には、ビームフォーミングを用いる通信において、適切なビームの形成にかかる時間を低減することが記載されている。
【先行技術文献】
【特許文献】
【０００６】
【特許文献１】国際公開第２０１７／１６４２２０号
【発明の概要】
【発明が解決しようとする課題】
【０００７】
このようなビームフォーミングの電波の測定では、測定者が設定したビーム方向の（または、所定の順番で複数のビーム方向を切り替えて）被測定信号を基地局から送信し、測定装置でその被測定信号を測定してエリアの評価を行なう。被測定信号には、各ビーム方向と対応するビームインデックスがそれぞれ付与されている。
【０００８】
基地局が設置される実環境では、反射波や干渉波により、測定者が設定したビーム方向（ビームインデックス）の電波が、必ずしも他のビーム方向の電波より受信状態が良くなるとは限らず、被測定信号を測定できない場合がある。
【０００９】
そこで、本発明は、測定者が測定したいビームインデックスの電波を容易にかつ正確に測定可能にすることができる電波伝播測定装置を提供することを目的としている。
【課題を解決するための手段】
【００１０】
本発明の電波伝播測定装置は、基地局からの無線信号の伝播状態を測定する電波伝播測定装置であって、画像を表示する表示部と、前記表示部に受信した無線信号の測定結果を表示させる制御部と、を備え、前記制御部は、ビームフォーミングの無線信号の測定を行なう場合、全てのビームの測定結果を対応するビームインデックスとともに表示させるものである。
【００１１】
この構成により、ビームフォーミングの無線信号の全てのビームの測定結果が対応するビームインデックスとともに表示される。このため、測定者が測定したいビームインデックスの電波を容易にかつ正確に測定可能にすることができる。
【００１２】
また、本発明の電波伝播測定装置において、前記制御部は、全てのビームの受信強度をそれぞれ対応するビームインデックスとともに図表にして表示させるものである。
【００１３】
この構成により、全てのビームの受信強度がそれぞれ対応するビームインデックスとともに図表にして表示される。このため、受信したビームの受信強度を図表で比較することができ、測定者が測定したいビームインデックスの電波で所望のエリアが得られているかを容易にかつ正確に評価することができる。
【００１４】
また、本発明の電波伝播測定装置において、前記制御部は、表示させた前記図表のなかから、選択された前記図表に対応するビームの詳細な測定結果を表示させるものである。
【００１５】
この構成により、表示させた図表のなかから、選択された図表に対応するビームの詳細な測定結果が表示される。このため、図表を選択することで詳細な測定結果が表示され、測定者が測定したいビームインデックスの電波で所望のエリアが得られているかを容易にかつ正確に評価することができる。
【００１６】
また、本発明の電波伝播測定装置において、前記制御部は、受信している無線信号の情報をリストで表示し、当該リスト上で選択された無線信号の測定結果を表示するものである。
【００１７】
この構成により、受信している無線信号の情報がリストで表示され、そのリスト上で選択された無線信号の測定結果が表示される。このため、容易に測定する無線信号を切り替えて、測定者が測定したい電波を容易に測定可能にすることができる。
【００１８】
また、本発明のビームフォーミングの測定結果表示方法は、基地局からの無線信号の伝播状態を測定する電波伝播測定装置のビームフォーミングの測定結果表示方法であって、受信した無線信号の全てのビームインデックスを検出するステップと、検出したビームインデックスに対応するビームを測定するステップと、全てのビームの測定結果を対応するビームインデックスとともに表示させるステップと、を備えるものである。
【００１９】
この構成により、ビームフォーミングの無線信号の全てのビームの測定結果が対応するビームインデックスとともに表示される。このため、測定者が測定したいビームインデックスの電波を容易にかつ正確に測定可能にすることができる。
【発明の効果】
【００２０】
本発明は、測定者が測定したいビームインデックスの電波を容易にかつ正確に測定可能にすることができる電波伝播測定装置を提供することができる。
【図面の簡単な説明】
【００２１】
【図１】図１は、本発明の一実施形態に係る電波伝播測定装置のブロック図である。
【図２】図２は、本発明の一実施形態に係る電波伝播測定装置の測定結果の表示例を示す図である。
【図３】図３は、本発明の一実施形態に係る電波伝播測定装置の遅延プロファイルの表示例を示す図である。
【発明を実施するための形態】
【００２２】
以下、図面を参照して、本発明の実施形態に係る電波伝播測定装置について詳細に説明する。
【００２３】
図１において、本発明の一実施形態に係る電波伝播測定装置１は、無線信号処理部１０と、無線信号測定部１１と、ユーザインターフェース部１２と、制御部１３とを含んで構成されている。
【００２４】
無線信号処理部１０は、アンテナ１６を介して基地局２から受信した無線信号を、増幅や周波数変換などして無線信号測定部１１に出力する。
【００２５】
無線信号測定部１１は、無線信号処理部１０と接続され、無線信号処理部１０の出力する無線信号の復調、復号を行なうとともに、ＳＳ−ＲＳＲＰ（Synchronization Signal-Reference Signal Received Power）、ＳＳ−ＳＩＲ（Synchronization Signal-Signal to Interference Ratio）、ＳＳ−ＲＳＲＱ（Synchronization Signal-Reference Signal Received Quality）、ＲＳＳＩ（Received Signal Strength Indicator）、遅延プロファイルなどを測定し、測定結果を制御部１３に出力するようになっている。制御部１３は、無線信号測定部１１からの測定結果を時刻情報などと関連付けてハードディスク等に記憶しておき、ユーザの要求によりユーザインターフェース部１２に表示出力させたり、ログとしてファイルに出力したりするようになっている。
【００２６】
無線信号測定部１１は、ＧＰＳ（Global Positioning System）受信部１４や内部クロック１５からクロック信号を入力されるようになっている。無線信号測定部１１は、ＧＰＳ受信部１４からのＰＰＳ（Pulse Per Second:１秒周期の信号）または内部クロック１５からのクロック信号に基づいて無線信号の受信タイミングを測定するようになっている。なお、外部からＧＰＳ信号を入力するようにしてもよい。
【００２７】
ユーザインターフェース部１２は、ユーザからの操作入力を受け付ける入力部１２１と、測定のパラメータの設定画面や無線信号測定部１１の測定結果などを表示する表示部１２２とを備えている。入力部１２１は、タッチパッドやキーボードやプッシュボタンやロータリーノブなどによって構成される。表示部１２２は、液晶表示装置などによって構成される。
【００２８】
制御部１３は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００２９】
このコンピュータユニットのＲＯＭ及びハードディスク装置には、各種制御定数や各種マップ等とともに、当該コンピュータユニットを制御部１３として機能させるためのプログラムが記憶されている。すなわち、ＣＰＵがＲＯＭ及びハードディスク装置に記憶されたプログラムを実行することにより、当該コンピュータユニットは、制御部１３として機能する。なお、ハードディスク装置は、フラッシュメモリによるＣＦ(Compact Flash)カード等であっても良い。
【００３０】
制御部１３の入出力ポートには、無線信号測定部１１、ユーザインターフェース部１２が接続され、制御部１３と各部は信号の送受信をできるようになっている。
【００３１】
なお、本実施形態において、無線信号測定部１１は、各処理を実行するようにプログラミングされたＤＳＰ（Digital Signal Processor）等のプロセッサによって構成されている。また、無線信号処理部１０は、通信モジュールによって構成されている。
【００３２】
このような電波伝播測定装置１において、制御部１３は、例えば、表示部１２２に表示させた設定画面に対する入力部１２１への操作入力で設定された周波数の無線信号の測定を無線信号測定部１１に行なわせる。
【００３３】
制御部１３は、表示部１２２に表示させた設定画面により、測定する無線信号の中心周波数や周波数帯域幅や測定する信号数などを入力部１２１から入力させる。測定する無線信号の中心周波数は、複数設定可能になっている。
【００３４】
制御部１３は、入力部１２１により入力された設定情報を無線信号測定部１１に通知して、無線信号の測定を行わせる。
【００３５】
無線信号測定部１１は、制御部１３から設定情報を通知されると、通知された中心周波数や周波数帯域幅を無線信号処理部１０に通知して、その中心周波数や周波数帯域幅の無線信号を受信させる。
【００３６】
無線信号処理部１０は、無線信号測定部１１から中心周波数や周波数帯域幅を通知されると、その中心周波数や周波数帯域幅の無線信号を受信し、増幅や周波数変換などして無線信号測定部１１に出力する。
【００３７】
無線信号測定部１１は、無線信号処理部１０の出力する無線信号の復調、復号を行なうとともに、ＳＳ−ＲＳＲＰ、ＳＳ−ＳＩＲ、ＳＳ−ＲＳＲＱ、ＲＳＳＩ、遅延プロファイルなどを測定し、測定結果を制御部１３に出力する。
【００３８】
制御部１３は、無線信号測定部１１の出力する測定結果に基づいて、入力部１２１の操作入力により選択された測定結果表示種別に応じて表示部１２２に表示させる画像を作成して表示部１２２に表示させる。
【００３９】
本実施形態において、ビームフォーミングの無線信号の測定を行う場合、無線信号処理部１０は、アンテナ１６を介して基地局２から受信した無線信号を、増幅や周波数変換などした信号から、同期信号としてのＳＳ（Synchronization Signals）／ＰＢＣＨ（Physical Broadcast CHannel）ブロックを検出する。
【００４０】
ビームインデックスは、ＳＳ／ＰＢＣＨブロック単位で切り替わるため、無線信号処理部１０は、検出したＳＳ／ＰＢＣＨブロック内のSS burst setの中にあるSS Block Indexをビームインデックスとして検出する。
【００４１】
ビームインデックスの検出は、ＰＢＣＨのＤＭＲＳ（DeModulation Reference Signals）から行なってもよい。
【００４２】
無線信号処理部１０は、検出したビームインデックスに基づいて、他のビームインデックスを検出する。
【００４３】
無線信号処理部１０は、検出した全てのビームインデックスの情報を無線信号測定部１１に送信する。
【００４４】
無線信号測定部１１は、無線信号測定部１１から受信したビームインデックスの情報に基づいて、検出された全てのビームインデックスのそれぞれのＳＳ−ＲＳＲＰ、ＳＳ−ＳＩＲ、ＳＳ−ＲＳＲＱ、ＲＳＳＩ、遅延プロファイルなどを測定し、測定結果を制御部１３に出力する。
【００４５】
制御部１３は、無線信号測定部１１の出力する測定結果に基づいて、図２に示すように測定結果を表示部１２２に表示させる。
【００４６】
図２において、測定条件表示部１０１は、測定条件として設定された、測定する無線信号の条件を表示するものである。測定条件表示部１０１において、「Ｆｎ」は設定された無線信号の条件を識別する番号を示している。
【００４７】
また、「ＭＨｚ」は測定する無線信号の中心周波数を示している。「ＢＷ」は、測定する無線信号の周波数帯域幅を示している。「Ｎ」は、測定可能なＰＣＩ（Physical Cell Identity）の数を示している。ＰＣＩは、基地局２ごとに異なる値が設定される。
【００４８】
図２において、リスト表示部１０２は、測定条件表示部１０１に設定された無線信号のうち、受信している無線信号の情報をリストで表示するものである。「Ｎｏ．」は、並べ替えられた順に無線信号に付与された番号である。「Ｆｎ」は、測定条件表示部１０１の「Ｆｎ」を示している。「ＰＣＩ」は、受信信号のＰＣＩを示している。「ＲＳＲＰ」、「ＲＳＲＱ」、「ＳＩＲ」、「ＲＳＳＩ」は、測定されたＳＳ−ＲＳＲＰ、ＳＳ−ＲＳＲＱ、ＳＳ−ＳＩＲ、ＲＳＳＩの測定値を示している。
【００４９】
「Ｔｉｍｉｎｇ（μs）」は、無線信号のフレームタイミング値を示している。「Ｎ」は、測定されたビームの数を示している。
【００５０】
図２において、マーカ表示部１０３は、リスト表示部１０２で選択された受信信号の情報を表示するものである。
【００５１】
マーカ表示部１０３の「Ｆ１」は、測定条件表示部１０１の「Ｆｎ」の「１：」で設定された信号であることを示す。また、「ＰＣＩ」は、受信信号のＰＣＩを示している。ＰＣＩは、基地局２ごとに異なる値が設定される。
【００５２】
図２において、グラフ表示部１０４は、リスト表示部１０２で選択された受信信号の各ビームインデックスのビームの受信強度をビームインデックスごとに棒グラフで表示するものである。なお、折れ線グラフやマーカを使った散布図によりビームインデックスごとのビームの受信強度を表示するようにしてもよい。
【００５３】
グラフ表示部１０４の棒グラフのいずれかが入力部１２１の操作により選択されると、測定結果表示部１０５に選択されたビームの測定結果が表示される。
【００５４】
また、ビームの測定結果として、図３に示す遅延プロファイルを表示するようにしてもよい。
【００５５】
このように、上述の実施形態では、測定条件表示部１０１に設定された無線信号の全てのビームインデックスを検出し、各ビームインデックスに対応するビームの測定結果を対応するビームインデックスとともに表示する。
【００５６】
これにより、測定対象となる無線信号の全てのビームの測定結果が表示され、測定者が測定したいビームインデックスの電波を容易にかつ正確に測定可能にすることができる。
【００５７】
また、受信したビームの受信強度をそれぞれ棒グラフにして、ビームインデックスとともにグラフ表示部１０４に表示する。
【００５８】
これにより、受信したビームの受信強度を棒グラフで比較することができ、測定者が測定したいビームインデックスの電波で所望のエリアが得られているかを容易にかつ正確に評価することができる。
【００５９】
また、ビームごとの棒グラフから選択された棒グラフに対応するビームの詳細な測定結果を測定結果表示部１０５に表示する。
【００６０】
これにより、棒グラフを選択することで詳細な測定結果が表示され、測定者が測定したいビームインデックスの電波で所望のエリアが得られているかを容易にかつ正確に評価することができる。
【００６１】
また、受信している無線信号の情報をリストでリスト表示部１０２に表示し、リスト上で選択された無線信号の測定結果をマーカ表示部１０３やグラフ表示部１０４に表示する。
【００６２】
これにより、容易に測定する無線信号を切り替えて、測定者が測定したい電波を容易に測定可能にすることができる。
【００６３】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６４】
１  電波伝播測定装置
２  基地局
１０  無線信号処理部
１１  無線信号測定部
１２  ユーザインターフェース部
１３  制御部
１０２  リスト表示部
１０４  グラフ表示部
１０５  測定結果表示部
１２１  入力部
１２２  表示部
【図１】
2020195043.tif 000003
【図２】
2020195043.tif 000004
【図３】
2020195043.tif 000005